(57)【特許請求の範囲】
【請求項１】
無線通信機能を有する携帯機の挿脱が可能なケースと、
前記携帯機の挿脱方向に沿って前記ケース内を移動可能なスライダと、
該スライダに回動可能に設けられ、前記携帯機に係合して該携帯機をロックする一対のロックレバーと、
前記スライダをロック位置に保持可能なロック機構と、
を備えた携帯機スロット装置において、
前記ケースに、前記携帯機に当接して該携帯機と共にロック位置まで移動する検出部材と、該検出部材によって動作して前記検出部材がロック位置に移動したことを検出する検出スイッチと、前記検出部材を前記検出部材が当接する前の初期位置に向けて付勢する検出部材用スプリングと、前記スライダを前記ロック機構によるロックが解除された初期位置に向けて付勢する第１スプリングを設け、
前記スライダに、前記検出部材と前記携帯機との当接を許容する開口部を形成し、
前記検出部材は、前記スライダが初期位置にあるときには前記スライダの外部に位置し、
前記スライダのロック位置への移動に応じて前記開口部を通過して前記スライダ内にその一部が収容され、前記携帯機が前記スライダをロック位置まで移動させる過程で当該携帯機の先端部と前記開口部を介して当接することによって前記検出スイッチをＯＮ動作させることを特徴とする携帯機スロット装置。
【請求項２】
前記ケースに、前記検出部材をスライド可能に保持するスライド溝と、該スライド溝に連通して外側に向かって開口するスイッチ開口部を設け、
該スイッチ開口部に前記検出スイッチを配置したことを特徴とする請求項１記載の携帯機スロット装置。
【発明の詳細な説明】
【技術分野】
【０００１】
本発明は、無線通信機能を有する携帯機を挿脱するための携帯機スロット装置に関するものである。
【背景技術】
【０００２】
近年、ユーザーが保持する携帯機（電子キー）と車両本体との間で無線通信を行い、その携帯機のＩＤコードが予め登録されたＩＤコードと合致した場合にだけエンジンの始動を許可するようにしたイモビライザ認証システムが多くの自動車に採用されるようになってきている。
【０００３】
斯かるイモビライザ認証システムに使用される携帯機スロット装置に関して、特許文献１には、スロット装置内に携帯機を挿入してこれを所定位置まで押し込むと、該携帯機がロックレバーによって保持されるとともに、検出スイッチがＯＮ動作し、車両側の制御装置と携帯機との通信が開始され、携帯機から送信されたＩＤコードと制御装置に予め割り当てられたＩＤコードが一致することを条件としてスタートボタンを操作することによってエンジンを始動することができるようしたものが提案されている。この携帯機スロット装置の構成の詳細を図１０に示す。
【０００４】
図１０は特許文献１において提案された携帯機スロット装置の側断面図であり、図示の携帯機スロット装置１０１は、携帯機１５０を挿脱可能に収容する本体ケース１０２と、該本体ケース１０２内にスライド可能に設けられたシャッタホルダ１０３と、該シャッタホルダ１０３に開閉可能に設けられた一対のロックレバー１０４を備えている。
【０００５】
而して、この携帯機スロット装置１０１において、携帯機１５０を本体ケース１０２内に挿入すると、該携帯機１５０に押されてシャッタホルダ１０３が図１０の左方に後退し、図１０に示すように開位置にある一対のロックレバー１０４が本体ケース１０２の内側面によって押圧され、両ロックレバー１０４が回動軸１０４ａを中心として回動して閉位置へと移動し、その先端の係合突部１０４ｂが携帯機１５０の係合凹部１５０ａに係合し、これによって携帯機１５０がシャッタホルダ１０３に対してロックされる。そして、シャッタホルダ１０３がロック位置まで移動すると、該シャッタホルダ１０３は不図示のラチェットカムによってロックされ、携帯機１５０はシャッタホルダ１０３を介して本体ケース１０２内に保持される。
【０００６】
又、特許文献２には、携帯機に直接当接することによって該携帯機の挿入を検出するマイクロスイッチを設けた携帯機スロット装置が開示されている。
【先行技術文献】
【特許文献】
【０００７】
【特許文献１】特開２００４−００９９５７号公報
【特許文献２】特開２００１−１３０３８１号公報
【発明の概要】
【発明が解決しようとする課題】
【０００８】
しかしながら、図１０に示した従来の携帯機スロット装置１０１においては、携帯機１５０を検出する検出スイッチ（マイクロスイッチ）がラチェットカムに設けられており、ラチェットカムがロック状態になったことを検出することによって携帯機１５０の本体ケース１０２内への挿入を間接的に検出する構成が採用されているため、次のような不具合が発生するという問題がある。
【０００９】
即ち、例えば本体ケース１０２内に挿入された携帯機１５０を、ロックレバー１０４との係合を強引に解除して引き抜いたような場合には、ラチェットカムはロック状態のままであって、検出スイッチもＯＮ状態が維持されているため、実際には携帯機１５０が引き抜かれているにも拘わらず、携帯機１５０が本体ケース１０２内にあるものと誤検知してしまい、携帯機１５０の有無のインジケータの表示や以後の制御処理に支障を来たすという不具合が発生する。
【００１０】
他方、特許文献２において開示された携帯機スロット装置においては、携帯機が直接当接する検出スイッチによって該携帯機の挿入を検出する構成が採用されているが、特許文献１において提案されたような携帯機１５０をロックするためのシャッタホルダ１０３やロックレバー１０４を備える携帯機スロット装置１０１においては、シャッタホルダ１０３やロックレバー１０４があるために携帯機１５０に直接マイクロスイッチを当接させることは困難である。
【００１１】
本発明は上記問題に鑑みてなされたもので、その目的とする処は、ケース内における携帯機の有無を確実に検出することができる携帯機スロット装置を提供することにある。
【課題を解決するための手段】
【００１２】
上記目的を達成するため、請求項１記載の発明は、
無線通信機能を有する携帯機の挿脱が可能なケースと、
前記携帯機の挿脱方向に沿って前記ケース内を移動可能なスライダと、
該スライダに回動可能に設けられ、前記携帯機に係合して該携帯機をロックする一対のロックレバーと、
前記スライダをロック位置に保持可能なロック機構と、
を備えた携帯機スロット装置において、
前記ケースに、前記携帯機に当接して該携帯機と共にロック位置まで移動する検出部材と、該検出部材によって動作して前記検出部材がロック位置に移動したことを検出する検出スイッチと、前記検出部材を前記検出部材が当接する前の初期位置に向けて付勢する検出部材用スプリングと、前記スライダを前記ロック機構によるロックが解除された初期位置に向けて付勢する第１スプリングを設け、
前記スライダに、前記検出部材と前記携帯機との当接を許容する開口部を形成し、
前記検出部材は、前記スライダが初期位置にあるときには前記スライダの外部に位置し、
前記スライダのロック位置への移動に応じて前記開口部を通過して前記スライダ内にその一部が収容され、前記携帯機が前記スライダをロック位置まで移動させる過程で当該携帯機の先端部と前記開口部を介して当接することによって前記検出スイッチをＯＮ動作させることを特徴とする。
【００１３】
請求項２記載の発明は、請求項１記載の発明において、前記ケースに、前記検出部材をスライド可能に保持するスライド溝と、該スライド溝に連通して外側に向かって開口するスイッチ開口部を設け、
該スイッチ開口部に前記検出スイッチを配置したことを特徴とする。
【発明の効果】
【００１４】
請求項１記載の発明によれば、携帯機をケース内に挿入すると、該携帯機の先端部がスライダに当接して携帯機とスライダが一体的に移動し、これらがロック位置まで移動する過程で、スライダの開口部を介して検出部材が携帯機の先端部に直接当接して携帯機と共に移動するため、該検出部材によって検出スイッチがＯＮ動作して携帯機がロック位置まで挿入されたことを検出する。
【００１５】
又、スライダがロック機構によってロック位置にロックされている状態で、携帯機とロックレバーとの係合を強引に解除して携帯機をケースから引き抜いた場合には、検出部材は携帯機に直接当接しているため、該検出部材は、スライダの位置に関係なく携帯機の引き抜きに応じてスプリングの付勢力によって初期位置まで移動し、この検出部材の移動によって検出スイッチがＯＦＦ動作して携帯機がケース内に無いことが検出される。
【００１６】
従って、ケース内における携帯機の有無が検出スイッチによって確実に検出され、インジケータの表示や制御処理が常に正常になされる。
【００１７】
請求項２記載の発明によれば、ケースに設けられたスライド溝に連通して外側に向かって開口するスイッチ開口部を設け、該スイッチ開口部に検出スイッチを配置するようにしたため、検出スイッチをケースの外部から作業性良く組み付けることができ、該検出スイッチの組付性が高められる。
【図面の簡単な説明】
【００１８】
【図１】本発明に係る携帯機スロット装置の分解斜視図である。
【図２】本発明に係る携帯機スロット装置の携帯機挿入前の状態を示す側断面図である。
【図３】本発明に係る携帯機スロット装置の携帯機挿入前の状態をパネルとシャッタを外して示す平断面図である。
【図４】本発明に係る携帯機スロット装置の携帯機挿入前の状態をパネルとシャッタを外して示す破断正面図である。
【図５】本発明に係る携帯機スロット装置の携帯機挿入初期の状態をパネルとシャッタを外して示す平断面図である。
【図６】本発明に係る携帯機スロット装置の携帯機挿入後の状態（ロック状態）を示す側断面図である。
【図７】本発明に係る携帯機スロット装置の携帯機挿入後の状態（ロック状態）をパネルとシャッタを外して示す平断面図である。
【図８】本発明に係る携帯機スロット装置の携帯機を強引に引き抜いた後の状態を示す側断面図である。
【図９】本発明に係る携帯機スロット装置のハートカムの作動溝におけるラッチピンの移動経路を示す底面図である。
【図１０】従来の携帯機スロット装置の側断面図である。
【発明を実施するための形態】
【００１９】
以下に本発明の実施の形態を添付図面に基づいて説明する。
【００２０】
図１は本発明に係る携帯機スロット装置の分解斜視図、図２は同携帯機スロット装置の携帯機挿入前の状態を示す側断面図、図３は同携帯機スロット装置の携帯機挿入前の状態をパネルとシャッタを外して示す平断面図、図４は同携帯機スロット装置の携帯機挿入前の状態をパネルとシャッタを外して示す破断正面図、図５は同携帯機スロット装置の携帯機挿入初期の状態をパネルとシャッタを外して示す平断面図、図６は同携帯機スロット装置の携帯機挿入後の状態（ロック状態）を示す側断面図、図７は同携帯機スロット装置の携帯機挿入後の状態（ロック状態）をパネルとシャッタを外して示す平断面図、図８は同携帯機スロット装置の携帯機を強引に引き抜いた後の状態を示す側断面図、図９は同携帯機スロット装置のハートカムの作動溝におけるラッチピンの移動経路を示す底面図である。
【００２１】
［携帯機スロット装置の構成］
本発明に係る携帯機スロット装置１は、自動車の車室前部に幅方向に配された不図示のインストルメントパネルに設けられる装置であって、無線通信機能を有する携帯機５０の挿脱が可能なケース２と、携帯機５０の挿脱方向に沿ってケース２内を移動可能なスライダ３と、該スライダ３に回動可能に設けられた一対のロックレバー４と、スライダ３をロック位置に保持可能なロック機構５を備えている。
【００２２】
上記ケース２は、樹脂にて矩形ボックス状に一体成形された部品であって、その開口部の外周には図１及び図２に示す矩形枠状のパネル６が嵌着されている。そして、このパネル６には、前記携帯機５０をケース２内に挿入するための挿入孔６ａが形成されており、この挿入孔６ａは、パネル６の内側に回動可能に設けられたシャッタ７によって開閉される。ここで、図１及び図２に示すように、シャッタ７は、その下端部両側に突設された軸７ａによってケース２の内部において回動可能に支持されており、これはシャッタ用スプリング８によってパネル６の挿入孔６ａを閉じる方向に付勢されている。
【００２３】
前記スライダ３は、ケース２と同様に樹脂にて矩形ボックス状に一体成形された部品であって、その下面（以下、「上下」は当該携帯機スロット装置１が図示状態に設置されたときの上下を言うものとする）の一側部には、図１に示すようにリブ状のガイドレール３ａが該スライダ３のスライド方向に沿って突設されており、ケース２の内底面の対応する箇所には、スライダ３のガイドレール３ａが嵌合するためのレール凹部２ａがスライダ３のスライド方向に沿って形成されている。
【００２４】
又、図１に示すように、スライダ３の上端部左右には、上方に向かって広がるように傾斜したガイドレール３ｂが該スライダ３のスライド方向に沿って形成されており、一方（図１の左側）のガイドレール３ｂの近傍には垂直に起立するリブ状のガイドレール３ｃが該スライダ３のスライド方向に沿って突設されている。そして、ケース２内上部のガイドレール３ｂに対応する左右２箇所（図１には一方のみ図示）には、ガイドレール３ｂが嵌合するための円孔状のスプリング収納部２ｂ（図１には一方のみ図示）がスライダ３のスライド方向に沿って形成されている。又、ケース２内上部のガイドレール３ｃに対応する箇所には、ガイドレール３ｃが嵌合するためのレール凹部２ｃが前記スプリング収納部２ｂと平行に形成されている。
【００２５】
而して、スライダ３は、その下部に突設されたガイドレール３ａをケース２のレール凹部２ａに嵌合させるとともに、上部に形成されたガイドレール３ｂ，３ｃをケース２のスプリング収納部２ｂとレール凹部２ｃにそれぞれ嵌合させることによって、図２〜図３に示すように、ケース２内において携帯機５０の挿脱方向（図２の左右方向）にスライド可能に収容保持されている。そして、スライダ３は、ケース２の左右２つの前記スプリング収納部２ｂにそれぞれ収納された第１スプリング９が該スライダ３の左右のガイドレール３ｂの端面で押圧されることによって図２及び図３に示す初期位置（携帯機５０をケース２内に挿入する前の位置）方向に付勢されている。
【００２６】
前記左右一対のロックレバー４は、板金によってＬ字状に屈曲成形されており、これらはスライダ３の両側部に回動可能に支持されている。即ち、各ロックレバー４は、その中間部（屈曲部）の上下に突設された軸４ａ（図１には上下一方のみ図示）によって図３に示すようにスライダ３に回動可能に支持されている。
【００２７】
そして、各ロックレバー４がスライダ３に取り付けられた図３に示す状態において、該ロックレバー４の軸４ａからスライダ３の外側面に沿って延びる撓曲可能なアーム部４Ａの端部には樹脂製の第１係合突部４ｂが取り付けられており、アーム部４Ａに切り起しによって形成された別のアーム部４Ａ１の端部には樹脂製の第２係合突部４ｃが取り付けられている。又、各ロックレバー４の軸４ａを起点として前記アーム部４Ａから略直角に屈曲する他端部には樹脂製の作用部４Ｂが取り付けられている。
【００２８】
ところで、図３及び図４に示すように、前記スライダ３の奥側の端面の左右には矩形の貫通孔３ｄが形成されており、これらの貫通孔３ｄの間には縦方向に長い矩形の開口部３ｅが形成されている。そして、左右のロックレバー４は、第２スプリング１０によって軸４ａを中心として開き方向にそれぞれ付勢されており、スライダ３の左右の前記貫通孔３ｄには左右のロックレバー４の作用部４Ｂが貫通してスライダ３の内部に突出している。又、左右のロックレバー４のアーム部４Ａ，４Ａ１の端部にそれぞれ取り付けられた前記第１係合突部４ｂと第２係合突部４ｃは、図２及び図３に示すようにスライダ３から手前側（図２の左側）に延びてケース２の内部に突出している。尚、本実施の形態では、各第２スプリング１０の付勢力（バネ定数）は各第１スプリング９の付勢力（バネ定数）よりも小さく設定されている。
【００２９】
ここで、図３に示すように、ケース２の左右の内壁の手前側部分（図３の下側部分）は幅広部２ｄとして構成され、その奥側部分は幅広部分２ｄよりも幅が狭い平行な保持部２ｅとして構成されている。そして、ケース２内に携帯機５０を挿入する前の図３に示す状態では、スライダ３は図示の初期位置にあり、このスライダ３に軸４ａによって回動可能に支持された左右のロックレバー４は開位置にあって、そのアーム部４Ａ，４Ａ１はケース２の内壁の幅広部２ｄに当接した状態にある。
【００３０】
前記ロック機構５は、スライダ３を図６及び図７に示すロック位置に保持するための機構であって、ケース２の上面に装着されたハートカム１１とクランク状に屈曲したラッチピン１２及び該ラッチピン１２をハートカム１１側（上方）に付勢するラッチピン用スプリング１３によって構成されている。
【００３１】
図１に示すように、ケース２の上面にはハートカム装着部２Ａが形成されており、このハートカム装着部２Ａの左右の内壁に形成された複数の係合リブ２ｆ（図１には一方側のみ図示）にハートカム１１の左右両側に形成された複数の係合爪１１ａ（図１には一方側のみ図示）をスライドさせて係合させることによってハートカム１１がケース２のハートカム装着部２Ａに着脱可能に装着されている。そして、このハートカム１１の底面には、図９に示すような閉ループ状を成す略ハート状の作動溝１１Ａが形成されており，この作動溝１１Ａにはスライダ３の初期位置とロック位置に対応する係合部１１Ａ１，１１Ａ２が形成されるとともに、複数の段部１１ｂ，１１ｃ，１１ｄ，１１ｅ，１１ｆが形成されている。又、ハートカム１１の底面には、前記ラッチピン１２の先端を挿入してこれを作動溝１１Ａへと導く挿入溝１１ｇが形成されている。
【００３２】
又、前記ラッチピン用スプリング１３は、スライダ３の上面に立設された円筒状のスプリング受け３ｆ（図１及び図４参照）内に収容されており、このラッチ用スプイング１３によってラッチピン１２がハートカム１１側（上方）に付勢されており、該ラッチピン１２の先端は、ハートカム１１の底面に形成された図９に示す作動溝１１Ａに係合している。
【００３３】
ところで、図１に示すように、ケース２の上面の前記ハートカム装着部２Ａの横には基板装着部２Ｂが形成されており、この基板装着部２Ｂにはプリント基板１４が図２に示すように水平状態で装着されている。ここで、プリント基板１４には検出スイッチ１５とコネクタ１６が取り付けられている。
【００３４】
上記検出スイッチ１５は、携帯機５０が図６及び図７に示すロック位置にあることを検出するものであって、その接点１５ａが図１〜図４に示す検出部材１７によって倒されてＯＮすることによって携帯機５０がロック位置にあることを検出する。
【００３５】
上記検出部材１７は、樹脂によって十字状に一体成形されており、前記ケース２に形成された検出部材収納部２Ｃ（図１及び図２参照）にスライダ３のスライド方向（図２の左右方向）に摺動可能に収容されている。そして、この検出部材１７には垂直下方に延びる作用部１７ａと水平な操作子１７ｂが備えられている。
【００３６】
而して、検出部材１７は、ケース２に形成された円孔状のスライド溝２ｇ内に縮装された検出部材用スプリング１８によって手前側（図２の左側）に付勢されており、携帯機５０がケース２内に挿入されていない図２に示す状態では、検出部材１７は、ケース２の上部に被着されたカバー１９のストッパ部１９ａに当接して図示の初期位置に待機している。
【００３７】
ところで、ケース２に形成された前記スライド溝２ｇは、前記検出部材用スプリング１８を収納する機能と前記検出部材１７をスライド可能に保持する機能を備えているが、図４に示すように、ケース２にはスライド溝２ｇに連通してケース２の外側に向かって開口するスイッチ開口部２ｈが設けられており、このスイッチ開口部２ｈに前記検出スイッチ１５が配置されている。
【００３８】
前記カバー１９は、図１に示すように下方が開口する矩形ボックス状の部材であって、その両側部には下方に延びるブラケット１９Ａ(図１には一方のみ図示)が一体に形成されており、各ブラケット１９Ａには矩形の係合孔１９ｂがそれぞれ形成されている。そして、このカバー１９は、これをケース２の上方から被せてケース２の上部に嵌め込み、その左右のブラケット１９Ａに形成された係合孔１９ｂをケース２の左右両側部に突設された係合爪２ｉ（図１には一方のみ図示）に係合させることによってケース２に装着され、これに上方から挿通するネジ２０をケース２の上面に立設されたボス２ｊにねじ込むことによってケース２に固定されている。
【００３９】
［携帯機スロット装置の作用］
次に、以上のように構成された携帯機スロット装置１の作用を説明する。
【００４０】
携帯機５０をケース２内に挿入する前の状態では、シャッタ７はシャッタ用スプリング８の付勢力によってパネル６の挿入孔６ａを図２に示すように閉じており、スライダ３は、第１スプリング９の付勢力によって図２及び図３に示す初期位置にあり、左右のロックレバー４は、第２スプリング１０によって開き方向に付勢されて図３及び図４に示すように開位置にあり、そのアーム部４Ａ，４Ａ１はケース２の左右の内壁の幅広部２ｄに当接している。
【００４１】
そして、上記状態から携帯機５０をパネル６の挿入孔６ａからケース２内に挿入すると、シャッタ７は、携帯機５０によって押されてシャッタ用スプリング８の付勢力に抗して軸７ａを中心として回動し、パネル６の挿入孔６ａを開いて携帯機５０の挿入を許容する。ここで、図５に示すように、携帯機５０の一方の側部には、軸５１を中心として回動可能なメカニカルキー５２が収納されており、他方の側部には係合凹部５０ａが形成されている。
【００４２】
而して、図５に示すように携帯機５０がケース２内に収容されてその先端部分がスライダ３内に収容された状態では、該携帯機５０がスライダ３の貫通孔３ｄから突出する左右のロックレバー４の作用部４Ｂに当接してこれを押すため、各ロックレバー４は第２スプリング１０の付勢力に抗して軸４ａを中心として閉じ方向に回動して閉位置へと移動する。このとき、スライダ３を付勢する第１スプリング９の付勢力の方がロックレバー４を付勢する第２スプリング１０の付勢力よりも大きいため、スライダ３は後退せず、左右のロックレバー４のみが開位置から閉位置へと回動する。
【００４３】
次に、図５に示す状態から携帯機５０を更に奥へと挿入すると、図７に示すように携帯機５０と共にスライダ３も奥側（図５の上方）へと移動し、該スライダ３に支持された左右のロックレバー４がケース２の左右の内壁の幅広部２ｄから保持部２ｅへと移動し、これらのロックレバー４の広がりが規制されるため、各ロックレバー４は閉位置に保持される。このとき、一方（図７の右側）のロックレバー４の第１係合突部４ｂは携帯機５０の係合凹部５０ａに係合し、他方（図７の左側）のロックレバー４の第２係合突部４ｃはメカニカルキー５２の段部５２ａに係合しており、これによって携帯機５０が左右のロックレバー４によって保持される。尚、携帯機５０を図７に示す状態とは左右を逆にして挿入した場合には、左側のロックレバー４の第１係合突部４ｂが携帯機５０の係合凹部５０ａに係合し、右側のロックレバー４の第２係合突部４ｃがメカニカルキー５２の段部５２ａに係合する。このため、携帯機５０を左右を気にすることなくケース２内に挿入することができる。
【００４４】
そして、携帯機５０がスライダ３と共に図６及び図７に示すロック位置へと移動すると、スライダ３は、ロック機構５によってロック位置にロックされ、これによって携帯機５０がケース２内に保持される。ここで、ロック機構５においては、ラッチピン１２の先端がハートカム１１の図９に示す作動溝１１Ａの係合部１１Ａ１（初期位置）から矢印にて示す経路ａを経てロック位置へと移動して係合部１１Ａ２に係合するため、スライダ３がロック位置にロックされる。
【００４５】
又、スライダ３がロック位置へと移動すると、該スライダ３に収容された携帯機５０の先端部が検出部材１７の作用部１７ａに当接して該検出部材１７を検出部材用スプリング１８の付勢力に抗して同方向へと移動させるため、該検出部材１７の操作子１７ｂが図６に示すように検出スイッチ１５の接点１５ａを倒して該検出スイッチ１５をＯＮさせる。すると、スライダ３と携帯機５０がロック位置へと移動したことが検出スイッチ１５によって検出され、不図示のインジケータが点灯する。
【００４６】
そして、上記状態から運転者が不図示のエンジンスタートスイッチを操作すると、車体側の不図示の制御部と携帯機５０との間で通信が行われ、携帯機５０から送信されたＩＤコードと制御部に予め割り当てられたＩＤコードとが一致したことを条件としてエンジンの始動が許可される。
【００４７】
次に、図６及び図７に示すようにロック位置にある携帯機５０を抜き取る場合には、該携帯機５０をロック位置から更に押し込む。すると、ロック機構５によるスライダ３のロックが解除される。即ち、ハートカム１１の図９に示す作動溝１１Ａのロック位置にあったラッチピン１２は、作動溝１１Ａの係合部１１Ａ２との係合が解除されて係合部１１Ａ２から抜け出るため、ロック機構５によるスライダ３のロックが解除される。
【００４８】
そして、上述のように携帯機５０をロック位置から更に押し込んだ後に該携帯機５０から手を離すと、スライダ３と携帯機５０は、第１スプリング９の付勢力によって図５に示す初期位置まで移動する。尚、このとき、ロック機構５のハートカム１１においては、ラッチピン１２はロック位置から作動溝１１Ａを図示矢印にて示す経路ｂを経て初期位置へと移動する。
【００４９】
上述のようにスライダ３と携帯機５０が初期位置まで移動すると、左右のロックレバー４は図５に示すようにケース２の左右内壁の保持部２ｅから幅広部２ｄへと移動するため、該ロックレバー４の閉位置での保持が解除され、各ロックレバー４は第２スプリング１０の付勢力によって閉位置から開位置へと移動する。すると、左右のロックレバー４の第１係合突部４ｂと第２係合突部４ｃの携帯機５０の係合凹部５０ａとメカニカルキー５２の段部５２ａとの係合も解除されるため、携帯機５０をそのまま抜き取ることができる。
【００５０】
又、同時に携帯機５０の初期位置への移動によって該携帯機５０による検出部材１７の押圧が解除されるため、検出部材１７は検出部材用スプリング１８の付勢力によって図２に示す初期位置へと移動して検出スイッチ１５がＯＦＦされ、これによって携帯機５０がケース２から抜き取られたことが検出され、不図示のインジケータが消灯される。
【００５１】
ところで、図７に示すようにロック位置にある携帯機５０が強引に手前側(図７の下方)に引っ張られた場合、該携帯機５０の係合凹部５０ａとロックレバー４の第１係合突部４ｂの傾斜形状によって第１係合突部４ｂが外側に移動してアーム部４Ａが撓むため、携帯機５０の係合凹部５０ａとロックレバー４の第１係合突部４ｂとの係合が解除され、携帯機５０の引き抜きが可能となる。尚、このとき、スライダ３は不動であって、ロック機構５を構成するハートカム１１等には負荷が掛からないため、ハートカム１１やケース２等の破損が防がれる。
【００５２】
そして、上述のように携帯機５０が引き抜かれると、図８に示すように、スライダ３はロック位置にあるが、検出部材１７はスライダ３の開口部３ｅを通過して初期位置方向に移動可能であるため、携帯機５０による押圧が解除された検出部材１７は、検出部材用スプリング１８の付勢力によって初期位置まで移動する。このため、検出スイッチ１５がＯＦＦされ、携帯機５０が抜き取られたことが検出される。つまり、本実施の形態では、検出部材１７に携帯機５０を直接当接させる構成を採用したため、携帯機５０のみが引き抜かれた場合であっても、携帯機５０の抜き取りを検出スイッチ１５によって検出することができる。
【００５３】
以上において、本発明に係る携帯機スロット装置１によれば、携帯機５０をケース２内に挿入すると、該携帯機５０の先端部がスライダ３に当接して携帯機５０とスライダ３が一体的に移動し、これらがロック位置まで移動する過程で、スライダ３の開口部３ｅを介して検出部材１７が携帯機５０の先端部に直接当接して携帯機５０と共に移動するため、該検出部材１７によって検出スイッチ１５がＯＮ動作して携帯機５０がロック位置まで挿入されたことを検出する。
【００５４】
又、スライダ３がロック機構５によってロック位置にロックされている状態で、携帯機５０とロックレバー４との係合を強引に解除して携帯機５０をケース２から引き抜いた場合には、検出部材１７は携帯機５０に直接当接しているため、該検出部材１７は、スライダ３の位置に関係なく携帯機５０の引き抜きに応じて検出部材用スプリング１８の付勢力によって初期位置まで移動し、この検出部材１７の移動によって検出スイッチ１５がＯＦＦ動作して携帯機５０がケース２内に無いことが検出される。
【００５５】
従って、本発明に係る携帯機スロット装置１によれば、ケース２内における携帯機５０の有無が検出スイッチ１５によって確実に検出され、インジケータの表示や制御処理等が常に正常になされる。
【００５６】
更に、本発明に係る携帯機スロット装置１においては、ケース２に設けられたスライド溝２ｇに連通して外側に向かって開口するスイッチ開口部２ｈを設け、該スイッチ開口部２ｈに検出スイッチ１５を配置するようにしたため、検出スイッチ１５をケース２の外部から作業性良く組み付けることができ、該検出スイッチ１５の組付性が高められるという効果も得られる。
【符号の説明】
【００５７】
１              携帯機スロットル装置
２              ケース
２Ａ            ケースのハートカム装着部
２Ｂ            ケースの基板装着部
２Ｃ            ケースの検出部材収納部
２ａ            ケースのレール凹部
２ｂ            ケースのスプリング収納部
２ｃ            ケースのレール凹部
２ｄ            ケースの幅広部
２ｅ            ケースの保持部
２ｆ            ケースの係合リブ
２ｇ            ケースのスライド溝
２ｈ            ケースのスイッチ開口部
２ｉ            ケースの係合爪
２ｊ            ケースのボス
３              スライダ
３ａ〜３ｃ      スライダのガイドレール
３ｄ            スライダの貫通孔
３ｅ            スライダの開口部
３ｆ            スライダのスプリング受け
４              ロックレバー
４Ａ，４Ａ１    ロックレバーのアーム部
４Ｂ            ロックレバーの作用部
４ａ            ロックレバーの軸
４ｂ            ロックレバーの第１係合突部
４ｃ            ロックレバーの第２係合突部
５              ロック機構
６              パネル
６ａ            パネルの挿入孔
７              シャッタ
７ａ            シャッタの軸
８              シャッタ用スプリング
９              第１スプリング
１０            第２スプリング
１１            ハートカム
１１Ａ          ハートカムの作動溝
１１Ａ，１１Ｂ  ハートカムの係合部
１１ａ          ハートカムの係合爪
１１ｂ〜１１ｆ  ハートカムの段部
１１ｇ          ハートカムの挿入溝
１２            ラッチピン
１３            ラッチピン用スプリング
１４            プリント基板
１５            検出スイッチ
１５ａ          検出スイッチの接点
１６            コネクタ
１７            検出部材
１７ａ          検出部材の作用部
１７ｂ          検出部材の操作子
１８            検出部材用スプリング
１９            カバー
１９Ａ          カバーのブラケット
１９ａ          カバーのストッパ部
１９ｂ          カバーの係合孔
２０            ネジ
５０            携帯機
５０ａ          携帯機の係合凹部
５１            軸
５２            メカニカルキー
５２ａ          メカニカルキーの段部
【図１】
0006055603.tif 000002
【図２】
0006055603.tif 000003
【図３】
0006055603.tif 000004
【図４】
0006055603.tif 000005
【図５】
0006055603.tif 000006
【図６】
0006055603.tif 000007
【図７】
0006055603.tif 000008
【図８】
0006055603.tif 000009
【図９】
0006055603.tif 000010
【図１０】
0006055603.tif 000011